(57)【要約】【課題】携帯端末で保存されているデータを迅速かつ簡単にしかも安価に自動バックアップし、バックアップ時に高いセキュリティを維持すること。【解決手段】記憶部１２で保存されているデータ群３０をメモリカード４０にバックアップする場合のトリガ（日時、条件等）を設定するステップと、トリガの発生状況を監視するステップと、トリガの監視の結果に基づいて、トリガが発生した場合、着脱自在なメモリカード４０にデータ群３０が圧縮されたアーカイブデータ３５をバックアップするステップとを含む。【選択図】        図１
2005189969.tif 000002
【特許請求の範囲】
【請求項１】
コンピュータに、
携帯端末で保存されているデータをバックアップする場合のトリガを設定するトリガ設定工程と、
前記トリガの発生状況を監視するトリガ監視工程と、
前記監視の結果に基づいて、前記トリガが発生した場合、着脱自在な記録媒体に前記データをバックアップするバックアップ工程と、
を実行させるためのデータバックアッププログラム。
【請求項２】
前記コンピュータに、
前記データからバーコードを生成するバーコード生成工程と、前記バーコードを表示部に表示させ、該バーコードを介して、外部のバックアップ装置に前記データをバックアップさせるバーコード表示工程と、を実行させることを特徴とする請求項１に記載のデータバックアッププログラム。
【請求項３】
前記バックアップ工程では、前記データを圧縮した後、前記記録媒体にバックアップすることを特徴とする請求項１または２に記載のデータバックアッププログラム。
【請求項４】
前記バックアップ工程では、前記データを暗号化した後、前記記録媒体にバックアップすることを特徴とする請求項１〜３のいずれか一つに記載のデータバックアッププログラム。
【請求項５】
前記バックアップ工程では、前記トリガの発生前後におけるデータの差分を差分データとして、前記記録媒体にバックアップすることを特徴とする請求項１〜４のいずれか一つに記載のデータバックアッププログラム。
【請求項６】
前記バックアップ工程では、パスワードを用いた認証結果に基づいて、前記記録媒体への前記データのバックアップを制限することを特徴とする請求項１〜５のいずれか一つに記載のデータバックアッププログラム。
【請求項７】
コンピュータに、
携帯端末で保存されているデータをバックアップする場合のトリガを設定するトリガ設定工程と、
前記トリガの発生状況を監視するトリガ監視工程と、
前記監視の結果に基づいて、前記トリガが発生した場合、前記データからバーコードを生成するバーコード生成工程と、
前記バーコードを表示部に表示させ、該バーコードを介して、外部のバックアップ装置に前記データをバックアップさせるバーコード表示工程と、
を実行させるためのデータバックアッププログラム。
【請求項８】
コンピュータに、
携帯端末で保存されているデータの保存先を設定する保存先設定工程と、
前記データがバックアップされた記録媒体が挿入されたか否かを監視する監視工程と、
前記記録媒体が挿入された場合、該記録媒体から前記データを読み出し、該データを前記保存先にバックアップするバックアップ工程と、
を実行させるためのデータバックアッププログラム。
【請求項９】
前記コンピュータに、前記携帯端末で保存されているデータに対応するバーコードであって前記携帯端末に表示されている該バーコードを読み取るバーコード読取工程を実行させ、前記バックアップ工程では、前記バーコードの読み取り結果に基づいて、前記データを前記保存先にバックアップすることを特徴とする請求項８に記載のデータバックアッププログラム。
【請求項１０】
前記データは、圧縮された状態で前記記録媒体にバックアップされており、前記バックアップ工程では、前記記録媒体から前記データを読み出した後、展開したデータを前記保存先にバックアップすることを特徴とする請求項８または９に記載のデータバックアッププログラム。
【請求項１１】
前記データは、暗号化された状態で前記記録媒体にバックアップされており、前記バックアップ工程では、前記記録媒体から前記データを読み出した後、復号したデータを前記保存先にバックアップすることを特徴とする請求項８〜１０のいずれか一つに記載のデータバックアッププログラム。
【請求項１２】
前記データは、前記携帯端末で保存されているデータをバックアップする場合のトリガの発生前後におけるデータの差分としての差分データであることを特徴とする請求項８〜１１のいずれか一つに記載のデータバックアッププログラム。
【請求項１３】
前記バックアップ工程では、パスワードを用いた認証結果に基づいて、前記保存先への前記データのバックアップを制限することを特徴とする請求項８〜１２のいずれか一つに記載のデータバックアッププログラム。
【請求項１４】
コンピュータに、
携帯端末で保存されているデータの保存先を設定する保存先設定工程と、
前記携帯端末で保存されているデータに対応するバーコードであって前記携帯端末に表示されている該バーコードを読み取るバーコード読取工程と、
前記バーコードの読み取り結果に基づいて、前記データを前記保存先にバックアップするバックアップ工程と、
を実行させるためのデータバックアッププログラム。
【請求項１５】
携帯端末で保存されているデータをバックアップする場合のトリガを設定するトリガ設定工程と、
前記トリガの発生状況を監視するトリガ監視工程と、
前記監視の結果に基づいて、前記トリガが発生した場合、着脱自在な記録媒体に前記データをバックアップするバックアップ工程と、
を含むことを特徴とするデータバックアップ方法。
【請求項１６】
前記データからバーコードを生成するバーコード生成工程と、前記バーコードを表示部に表示させ、該バーコードを介して、外部のバックアップ装置に前記データをバックアップさせるバーコード表示工程と、を含むことを特徴とする請求項１５に記載のデータバックアップ方法。
【請求項１７】
前記バックアップ工程では、前記データを圧縮した後、前記記録媒体にバックアップすることを特徴とする請求項１５または１６に記載のデータバックアップ方法。
【請求項１８】
前記バックアップ工程では、前記データを暗号化した後、前記記録媒体にバックアップすることを特徴とする請求項１５〜１７のいずれか一つに記載のデータバックアップ方法。
【請求項１９】
前記バックアップ工程では、前記トリガの発生前後におけるデータの差分を差分データとして、前記記録媒体にバックアップすることを特徴とする請求項１５〜１８のいずれか一つに記載のデータバックアップ方法。
【請求項２０】
前記バックアップ工程では、パスワードを用いた認証結果に基づいて、前記記録媒体への前記データのバックアップを制限することを特徴とする請求項１５〜１９のいずれか一つに記載のデータバックアップ方法。
【請求項２１】
携帯端末で保存されているデータをバックアップする場合のトリガを設定するトリガ設定工程と、
前記トリガの発生状況を監視するトリガ監視工程と、
前記監視の結果に基づいて、前記トリガが発生した場合、前記データからバーコードを生成するバーコード生成工程と、
前記バーコードを表示部に表示させ、該バーコードを介して、外部のバックアップ装置に前記データをバックアップさせるバーコード表示工程と、
を含むことを特徴とするデータバックアップ方法。
【請求項２２】
携帯端末で保存されているデータの保存先を設定する保存先設定工程と、
前記データがバックアップされた記録媒体が挿入されたか否かを監視する監視工程と、
前記記録媒体が挿入された場合、該記録媒体から前記データを読み出し、該データを前記保存先にバックアップするバックアップ工程と、
を含むことを特徴とするデータバックアップ方法。
【請求項２３】
前記携帯端末で保存されているデータに対応するバーコードであって前記携帯端末に表示されている該バーコードを読み取るバーコード読取工程を含み、前記バックアップ工程では、前記バーコードの読み取り結果に基づいて、前記データを前記保存先にバックアップすることを特徴とする請求項２２に記載のデータバックアップ方法。
【請求項２４】
前記データは、圧縮された状態で前記記録媒体にバックアップされており、前記バックアップ工程では、前記記録媒体から前記データを読み出した後、展開したデータを前記保存先にバックアップすることを特徴とする請求項２２または２３に記載のデータバックアップ方法。
【請求項２５】
前記データは、暗号化された状態で前記記録媒体にバックアップされており、前記バックアップ工程では、前記記録媒体から前記データを読み出した後、復号したデータを前記保存先にバックアップすることを特徴とする請求項２２〜２４のいずれか一つに記載のデータバックアップ方法。
【請求項２６】
前記データは、前記携帯端末で保存されているデータをバックアップする場合のトリガの発生前後におけるデータの差分としての差分データであることを特徴とする請求項２２〜２５のいずれか一つに記載のデータバックアップ方法。
【請求項２７】
前記バックアップ工程では、パスワードを用いた認証結果に基づいて、前記保存先への前記データのバックアップを制限することを特徴とする請求項２２〜２６のいずれか一つに記載のデータバックアップ方法。
【請求項２８】
携帯端末で保存されているデータの保存先を設定する保存先設定工程と、
前記携帯端末で保存されているデータに対応するバーコードであって前記携帯端末に表示されている該バーコードを読み取るバーコード読取工程と、
前記バーコードの読み取り結果に基づいて、前記データを前記保存先にバックアップするバックアップ工程と、
を含むことを特徴とするデータバックアップ方法。
【請求項２９】
データを保存するローカル記憶手段と、
前記データをバックアップする場合のトリガを設定するトリガ設定手段と、
前記トリガの発生状況を監視するトリガ監視手段と、
前記監視の結果に基づいて、前記トリガが発生した場合、着脱自在な記録媒体に前記データをバックアップするバックアップ手段と、
を備えたことを特徴とする携帯端末。
【請求項３０】
前記データからバーコードを生成するバーコード生成手段と、前記バーコードを表示部に表示させ、該バーコードを介して、外部のバックアップ装置に前記データをバックアップさせるバーコード表示手段と、を備えたことを特徴とする請求項２９に記載の携帯端末。
【請求項３１】
前記バックアップ手段は、前記データを圧縮した後、前記記録媒体にバックアップすることを特徴とする請求項２９または３０に記載の携帯端末。
【請求項３２】
前記バックアップ手段は、前記データを暗号化した後、前記記録媒体にバックアップすることを特徴とする請求項２９〜３１のいずれか一つに記載の携帯端末。
【請求項３３】
前記バックアップ手段は、前記トリガの発生前後におけるデータの差分を差分データとして、前記記録媒体にバックアップすることを特徴とする請求項２９〜３２のいずれか一つに記載の携帯端末。
【請求項３４】
前記バックアップ手段は、パスワードを用いた認証結果に基づいて、前記記録媒体への前記データのバックアップを制限することを特徴とする請求項２９〜３３のいずれか一つに記載の携帯端末。
【請求項３５】
データを保存するローカル記憶手段と、
前記データをバックアップする場合のトリガを設定するトリガ設定手段と、
前記トリガの発生状況を監視するトリガ監視手段と、
前記監視の結果に基づいて、前記トリガが発生した場合、前記データからバーコードを生成するバーコード生成手段と、
前記バーコードを表示部に表示させ、該バーコードを介して、外部のバックアップ装置に前記データをバックアップさせるバーコード表示手段と、
を備えたことを特徴とする携帯端末。
【請求項３６】
携帯端末で保存されているデータの保存先を設定する保存先設定手段と、
前記データがバックアップされた記録媒体が挿入されたか否かを監視する監視手段と、
前記記録媒体が挿入された場合、該記録媒体から前記データを読み出し、該データを前記保存先にバックアップするバックアップ手段と、
を備えたことを特徴とするデータバックアップ装置。
【請求項３７】
前記携帯端末で保存されているデータに対応するバーコードであって前記携帯端末に表示されている該バーコードを読み取るバーコード読取手段を備え、前記バックアップ手段は、前記バーコードの読み取り結果に基づいて、前記データを前記保存先にバックアップすることを特徴とする請求項３６に記載のデータバックアップ装置。
【請求項３８】
前記データは、圧縮された状態で前記記録媒体にバックアップされており、前記バックアップ手段では、前記記録媒体から前記データを読み出した後、展開したデータを前記保存先にバックアップすることを特徴とする請求項３６または３７に記載のデータバックアップ装置。
【請求項３９】
前記データは、暗号化された状態で前記記録媒体にバックアップされており、前記バックアップ手段では、前記記録媒体から前記データを読み出した後、復号したデータを前記保存先にバックアップすることを特徴とする請求項３６〜３８のいずれか一つに記載のデータバックアップ装置。
【請求項４０】
前記データは、前記携帯端末で保存されているデータをバックアップする場合のトリガの発生前後におけるデータの差分としての差分データであることを特徴とする請求項３６〜３９のいずれか一つに記載のデータバックアップ装置。
【請求項４１】
前記バックアップ手段では、パスワードを用いた認証結果に基づいて、前記保存先への前記データのバックアップを制限することを特徴とする請求項３６〜４０のいずれか一つに記載のデータバックアップ装置。
【請求項４２】
携帯端末で保存されているデータの保存先を設定する保存先設定手段と、
前記携帯端末で保存されているデータに対応するバーコードであって前記携帯端末に表示されている該バーコードを読み取るバーコード読取手段と、
前記バーコードの読み取り結果に基づいて、前記データを前記保存先にバックアップするバックアップ手段と、
を備えたことを特徴とするデータバックアップ装置。
【発明の詳細な説明】
【技術分野】
【０００１】
本発明は、携帯端末で保存されているデータのバックアップに用いて好適なデータバックアッププログラム、データバックアップ方法、携帯端末およびデータバックアップ装置に関するものであり、特に、携帯端末で保存されているデータを迅速かつ簡単にしかも安価に自動バックアップすることができ、バックアップ時に高いセキュリティを維持することができるデータバックアッププログラム、データバックアップ方法、携帯端末およびデータバックアップ装置に関するものである。
【背景技術】
【０００２】
昨今、低価格化、高機能化により、携帯端末（携帯電話端末、ＰＨＳ端末、ＰＤＡ等）の普及がめざましい。かかる携帯端末は、電話をかける機能、電子メールの送受信を行う機能、画像を取り込む機能、スケジュールを管理する機能等を備えている。これらの機能に伴って、携帯端末では、電話帳データ、電子メールアドレスデータ、画像データ、スケジュールデータ等の複数のデータが記憶部に保存され、管理されている。
【０００３】
ここで、従来では、携帯電話の紛失や盗難に備えて、記憶部に保存されてるデータがバックアップされる。
【０００４】
具体的には、携帯電話機に保存されているデータ（電話帳データ、電子メールアドレスデータ等）をバックアップする方法には、携帯端末にメモリカードを挿入しておき、ユーザの操作指示に基づいて、メモリカードにデータをバックアップするという第１のバックアップ方法と、ＰＣ（Personal Computer）と携帯端末とをケーブルを介して接続しておき、ユーザからの操作指示に基づきＰＣ端末でデータをバックアップするという第２のバックアップ方法とがある。
【０００５】
【特許文献１】特開２００２−１７６９８号公報
【発明の開示】
【発明が解決しようとする課題】
【０００６】
しかしながら、前述したように、従来における第１のバックアップ方法では、ユーザの操作指示に基づいて、バックアップが実行されるため、ユーザの都合や忘却により、操作指示が無い場合、長期間に亘ってバックアップが行われないという問題があった。
【０００７】
また、第１のバックアップ方法では、携帯端末における複数のデータをバックアップする場合、一つずつのデータについて個別的に操作指示を行わなければならないため、煩雑であるという問題もあった。
【０００８】
また、第１のバックアップ方法では、メモリカードを介して、データが外部に漏洩する場合が想定され、セキュリティ上の問題もあった。
【０００９】
一方、従来における第２のバックアップ方法では、ＰＣ端末側で操作指示が必要となるため、ユーザインタフェースが悪いという問題があった。特に、ＰＣ端末の取り扱いに不慣れな初心者にとっては、かかる操作指示が障壁となっている。
【００１０】
また、第２のバックアップ方法では、携帯端末毎にケーブルの仕様が異なるため、携帯端末を買い換える場合にケーブルも買い換える必要があり、コストが高くつくという問題があった。
【００１１】
本発明は、上記に鑑みてなされたものであって、携帯端末で保存されているデータを迅速かつ簡単にしかも安価に自動バックアップすることができ、バックアップ時に高いセキュリティを維持することができるデータバックアッププログラム、データバックアップ方法、携帯端末およびデータバックアップ装置を提供することを目的とする。
【課題を解決するための手段】
【００１２】
上述した課題を解決し、目的を達成するために、本発明は、コンピュータに、携帯端末で保存されているデータをバックアップする場合のトリガを設定するトリガ設定工程と、前記トリガの発生状況を監視するトリガ監視工程と、前記監視の結果に基づいて、前記トリガが発生した場合、着脱自在な記録媒体に前記データをバックアップするバックアップ工程と、を実行させるためのデータバックアッププログラムである。
【００１３】
本発明によれば、携帯端末で保存されているデータをバックアップする場合のトリガを設定し、トリガが発生した場合、着脱自在な記録媒体にデータをバックアップすることとしたので、携帯端末で保存されているデータを迅速かつ簡単に自動バックアップすることができる。
【００１４】
また、本発明は、上記発明において、前記コンピュータに、前記データからバーコードを生成するバーコード生成工程と、前記バーコードを表示部に表示させ、該バーコードを介して、外部のバックアップ装置に前記データをバックアップさせるバーコード表示工程と、を実行させることを特徴とする。
【００１５】
本発明によれば、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができる。
【００１６】
また、本発明は、上記発明において、前記バックアップ工程では、前記データを圧縮した後、前記記録媒体にバックアップすることを特徴とする。
【００１７】
本発明によれば、データを圧縮した後、記録媒体にバックアップすることとしたので、記録媒体の容量を節約することができる。
【００１８】
また、本発明は、上記発明において、前記バックアップ工程では、前記データを暗号化した後、前記記録媒体にバックアップすることを特徴とする。
【００１９】
本発明によれば、データを暗号化した後、記録媒体にバックアップすることとしたので、バックアップ時に高いセキュリティを維持することができる。
【００２０】
また、本発明は、上記発明において、前記バックアップ工程では、前記トリガの発生前後におけるデータの差分を差分データとして、前記記録媒体にバックアップすることを特徴とする。
【００２１】
本発明によれば、トリガの発生前後におけるデータの差分を差分データとして、記録媒体にバックアップすることしたので、バックアップの効率を高めることができる。
【００２２】
また、本発明は、上記発明において、前記バックアップ工程では、パスワードを用いた認証結果に基づいて、前記記録媒体への前記データのバックアップを制限することを特徴とする。
【００２３】
本発明によれば、パスワードを用いた認証結果に基づいて、記録媒体へのデータのバックアップを制限することとしたので、バックアップ時に高いセキュリティを維持することができる。
【００２４】
また、本発明は、コンピュータに、携帯端末で保存されているデータをバックアップする場合のトリガを設定するトリガ設定工程と、前記トリガの発生状況を監視するトリガ監視工程と、前記監視の結果に基づいて、前記トリガが発生した場合、前記データからバーコードを生成するバーコード生成工程と、前記バーコードを表示部に表示させ、該バーコードを介して、外部のバックアップ装置に前記データをバックアップさせるバーコード表示工程と、を実行させるためのデータバックアッププログラムである。
【００２５】
本発明によれば、携帯端末で保存されているデータをバックアップする場合のトリガを設定し、トリガが発生した場合、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができる。
【００２６】
また、本発明は、コンピュータに、携帯端末で保存されているデータの保存先を設定する保存先設定工程と、前記データがバックアップされた記録媒体が挿入されたか否かを監視する監視工程と、前記記録媒体が挿入された場合、該記録媒体から前記データを読み出し、該データを前記保存先にバックアップするバックアップ工程と、を実行させるためのデータバックアッププログラムである。
【００２７】
本発明によれば、携帯端末で保存されているデータの保存先を設定し、データがバックアップされた記録媒体が挿入された場合、記録媒体からデータを読み出し、該データを保存先にバックアップすることとしたので、携帯端末で保存されているデータを迅速かつ簡単に自動バックアップすることができる。
【００２８】
また、本発明は、上記発明において、前記コンピュータに、前記携帯端末で保存されているデータに対応するバーコードであって前記携帯端末に表示されている該バーコードを読み取るバーコード読取工程を実行させ、前記バックアップ工程では、前記バーコードの読み取り結果に基づいて、前記データを前記保存先にバックアップすることを特徴とする。
【００２９】
本発明によれば、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができる。
【００３０】
また、本発明は、前記データは、圧縮された状態で前記記録媒体にバックアップされており、前記バックアップ工程では、前記記録媒体から前記データを読み出した後、展開したデータを前記保存先にバックアップすることを特徴とする。
【００３１】
本発明によれば、データを、圧縮された状態で記録媒体にバックアップし、記録媒体からデータを読み出した後、展開したデータを保存先にバックアップすることとしたので、記録媒体の容量を節約することができる。
【００３２】
また、本発明は、上記発明において、前記データは、暗号化された状態で前記記録媒体にバックアップされており、前記バックアップ工程では、前記記録媒体から前記データを読み出した後、復号したデータを前記保存先にバックアップすることを特徴とする。
【００３３】
本発明によれば、データを、暗号化された状態で記録媒体にバックアップし、記録媒体からデータを読み出した後、復号したデータを保存先にバックアップすることとしたので、バックアップ時に高いセキュリティを維持することができる。
【００３４】
また、本発明は、上記発明において、前記データは、前記携帯端末で保存されているデータをバックアップする場合のトリガの発生前後におけるデータの差分としての差分データであることを特徴とする。
【００３５】
本発明によれば、データを、トリガの発生前後におけるデータの差分としての差分データとしたので、バックアップの効率を高めることができる。
【００３６】
また、本発明は、上記発明において、前記バックアップ工程では、パスワードを用いた認証結果に基づいて、前記保存先への前記データのバックアップを制限することを特徴とする。
【００３７】
本発明によれば、パスワードを用いた認証結果に基づいて、保存先へのデータのバックアップを制限することとしたので、バックアップ時に高いセキュリティを維持することができる。
【００３８】
また、本発明は、コンピュータに、携帯端末で保存されているデータの保存先を設定する保存先設定工程と、前記携帯端末で保存されているデータに対応するバーコードであって前記携帯端末に表示されている該バーコードを読み取るバーコード読取工程と、前記バーコードの読み取り結果に基づいて、前記データを前記保存先にバックアップするバックアップ工程と、を実行させるためのデータバックアッププログラムである。
【００３９】
本発明によれば、携帯端末で保存されているデータの保存先を設定し、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができる。
【００４０】
また、本発明は、携帯端末で保存されているデータをバックアップする場合のトリガを設定するトリガ設定工程と、前記トリガの発生状況を監視するトリガ監視工程と、前記監視の結果に基づいて、前記トリガが発生した場合、着脱自在な記録媒体に前記データをバックアップするバックアップ工程と、を含むことを特徴とする。
【００４１】
本発明によれば、携帯端末で保存されているデータをバックアップする場合のトリガを設定し、トリガが発生した場合、着脱自在な記録媒体にデータをバックアップすることとしたので、携帯端末で保存されているデータを迅速かつ簡単に自動バックアップすることができる。
【００４２】
また、本発明は、上記発明において、前記データからバーコードを生成するバーコード生成工程と、前記バーコードを表示部に表示させ、該バーコードを介して、外部のバックアップ装置に前記データをバックアップさせるバーコード表示工程と、を含むことを特徴とする。
【００４３】
本発明によれば、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができる。
【００４４】
また、本発明は、上記発明において、前記バックアップ工程では、前記データを圧縮した後、前記記録媒体にバックアップすることを特徴とする。
【００４５】
本発明によれば、データを圧縮した後、記録媒体にバックアップすることとしたので、記録媒体の容量を節約することができる。
【００４６】
また、本発明は、上記発明において、前記バックアップ工程では、前記データを暗号化した後、前記記録媒体にバックアップすることを特徴とする。
【００４７】
本発明によれば、データを暗号化した後、記録媒体にバックアップすることとしたので、バックアップ時に高いセキュリティを維持することができる。
【００４８】
また、本発明は、上記発明において、前記バックアップ工程では、前記トリガの発生前後におけるデータの差分を差分データとして、前記記録媒体にバックアップすることを特徴とする。
【００４９】
本発明によれば、トリガの発生前後におけるデータの差分を差分データとして、記録媒体にバックアップすることしたので、バックアップの効率を高めることができる。
【００５０】
また、本発明は、上記発明において、前記バックアップ工程では、パスワードを用いた認証結果に基づいて、前記記録媒体への前記データのバックアップを制限することを特徴とする。
【００５１】
本発明によれば、パスワードを用いた認証結果に基づいて、記録媒体へのデータのバックアップを制限することとしたので、バックアップ時に高いセキュリティを維持することができる。
【００５２】
また、本発明は、携帯端末で保存されているデータをバックアップする場合のトリガを設定するトリガ設定工程と、前記トリガの発生状況を監視するトリガ監視工程と、前記監視の結果に基づいて、前記トリガが発生した場合、前記データからバーコードを生成するバーコード生成工程と、前記バーコードを表示部に表示させ、該バーコードを介して、外部のバックアップ装置に前記データをバックアップさせるバーコード表示工程と、を含むことを特徴とする。
【００５３】
本発明によれば、携帯端末で保存されているデータをバックアップする場合のトリガを設定し、トリガが発生した場合、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができる。
【００５４】
また、本発明は、携帯端末で保存されているデータの保存先を設定する保存先設定工程と、前記データがバックアップされた記録媒体が挿入されたか否かを監視する監視工程と、前記記録媒体が挿入された場合、該記録媒体から前記データを読み出し、該データを前記保存先にバックアップするバックアップ工程と、を含むことを特徴とする。
【００５５】
本発明によれば、携帯端末で保存されているデータの保存先を設定し、データがバックアップされた記録媒体が挿入された場合、記録媒体からデータを読み出し、該データを保存先にバックアップすることとしたので、携帯端末で保存されているデータを迅速かつ簡単に自動バックアップすることができる。
【００５６】
また、本発明は、上記発明において、前記携帯端末で保存されているデータに対応するバーコードであって前記携帯端末に表示されている該バーコードを読み取るバーコード読取工程を含み、前記バックアップ工程では、前記バーコードの読み取り結果に基づいて、前記データを前記保存先にバックアップすることを特徴とする。
【００５７】
本発明によれば、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができる。
【００５８】
また、本発明は、上記発明において、前記データは、圧縮された状態で前記記録媒体にバックアップされており、前記バックアップ工程では、前記記録媒体から前記データを読み出した後、展開したデータを前記保存先にバックアップすることを特徴とする。
【００５９】
本発明によれば、データを、圧縮された状態で記録媒体にバックアップし、記録媒体からデータを読み出した後、展開したデータを保存先にバックアップすることとしたので、記録媒体の容量を節約することができる。
【００６０】
また、本発明は、上記発明において、前記データは、暗号化された状態で前記記録媒体にバックアップされており、前記バックアップ工程では、前記記録媒体から前記データを読み出した後、復号したデータを前記保存先にバックアップすることを特徴とする。
【００６１】
本発明によれば、データを、暗号化された状態で記録媒体にバックアップし、記録媒体からデータを読み出した後、復号したデータを保存先にバックアップすることとしたので、バックアップ時に高いセキュリティを維持することができる。
【００６２】
また、本発明は、上記発明において、前記データは、前記携帯端末で保存されているデータをバックアップする場合のトリガの発生前後におけるデータの差分としての差分データであることを特徴とする。
【００６３】
本発明によれば、データを、トリガの発生前後におけるデータの差分としての差分データとしたので、バックアップの効率を高めることができる。
【００６４】
また、本発明は、上記発明において、前記バックアップ工程では、パスワードを用いた認証結果に基づいて、前記保存先への前記データのバックアップを制限することを特徴とする。
【００６５】
本発明によれば、パスワードを用いた認証結果に基づいて、保存先へのデータのバックアップを制限することとしたので、バックアップ時に高いセキュリティを維持することができる。
【００６６】
また、本発明は、携帯端末で保存されているデータの保存先を設定する保存先設定工程と、前記携帯端末で保存されているデータに対応するバーコードであって前記携帯端末に表示されている該バーコードを読み取るバーコード読取工程と、前記バーコードの読み取り結果に基づいて、前記データを前記保存先にバックアップするバックアップ工程と、を含むことを特徴とする。
【００６７】
本発明によれば、携帯端末で保存されているデータの保存先を設定し、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができる。
【００６８】
また、本発明は、データを保存するローカル記憶手段と、前記データをバックアップする場合のトリガを設定するトリガ設定手段と、前記トリガの発生状況を監視するトリガ監視手段と、前記監視の結果に基づいて、前記トリガが発生した場合、着脱自在な記録媒体に前記データをバックアップするバックアップ手段と、を備えたことを特徴とする。
【００６９】
本発明によれば、携帯端末で保存されているデータをバックアップする場合のトリガを設定し、トリガが発生した場合、着脱自在な記録媒体にデータをバックアップすることとしたので、携帯端末で保存されているデータを迅速かつ簡単に自動バックアップすることができる。
【００７０】
また、本発明は、上記発明において、前記データからバーコードを生成するバーコード生成手段と、前記バーコードを表示部に表示させ、該バーコードを介して、外部のバックアップ装置に前記データをバックアップさせるバーコード表示手段と、を備えたことを特徴とする。
【００７１】
本発明によれば、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができる。
【００７２】
また、本発明は、上記発明において、前記バックアップ手段は、前記データを圧縮した後、前記記録媒体にバックアップすることを特徴とする。
【００７３】
本発明によれば、データを圧縮した後、記録媒体にバックアップすることとしたので、記録媒体の容量を節約することができる。
【００７４】
また、本発明は、上記発明において、前記バックアップ手段は、前記データを暗号化した後、前記記録媒体にバックアップすることを特徴とする。
【００７５】
本発明によれば、データを暗号化した後、記録媒体にバックアップすることとしたので、バックアップ時に高いセキュリティを維持することができる。
【００７６】
また、本発明は、上記発明において、前記バックアップ手段は、前記トリガの発生前後におけるデータの差分を差分データとして、前記記録媒体にバックアップすることを特徴とする。
【００７７】
本発明によれば、トリガの発生前後におけるデータの差分を差分データとして、記録媒体にバックアップすることしたので、バックアップの効率を高めることができる。
【００７８】
また、本発明は、上記発明において、前記バックアップ手段は、パスワードを用いた認証結果に基づいて、前記記録媒体への前記データのバックアップを制限することを特徴とする。
【００７９】
本発明によれば、パスワードを用いた認証結果に基づいて、記録媒体へのデータのバックアップを制限することとしたので、バックアップ時に高いセキュリティを維持することができる。
【００８０】
また、本発明は、データを保存するローカル記憶手段と、前記データをバックアップする場合のトリガを設定するトリガ設定手段と、前記トリガの発生状況を監視するトリガ監視手段と、前記監視の結果に基づいて、前記トリガが発生した場合、前記データからバーコードを生成するバーコード生成手段と、前記バーコードを表示部に表示させ、該バーコードを介して、外部のバックアップ装置に前記データをバックアップさせるバーコード表示手段と、を備えたことを特徴とする。
【００８１】
本発明によれば、携帯端末で保存されているデータをバックアップする場合のトリガを設定し、トリガが発生した場合、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができる。
【００８２】
また、本発明は、携帯端末で保存されているデータの保存先を設定する保存先設定手段と、前記データがバックアップされた記録媒体が挿入されたか否かを監視する監視手段と、前記記録媒体が挿入された場合、該記録媒体から前記データを読み出し、該データを前記保存先にバックアップするバックアップ手段と、を備えたことを特徴とする。
【００８３】
本発明によれば、携帯端末で保存されているデータの保存先を設定し、データがバックアップされた記録媒体が挿入された場合、記録媒体からデータを読み出し、該データを保存先にバックアップすることとしたので、携帯端末で保存されているデータを迅速かつ簡単に自動バックアップすることができる。
【００８４】
また、本発明は、上記発明において、前記携帯端末で保存されているデータに対応するバーコードであって前記携帯端末に表示されている該バーコードを読み取るバーコード読取手段を備え、前記バックアップ手段は、前記バーコードの読み取り結果に基づいて、前記データを前記保存先にバックアップすることを特徴とする。
【００８５】
本発明によれば、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができる。
【００８６】
また、本発明は、上記発明において、前記データは、圧縮された状態で前記記録媒体にバックアップされており、前記バックアップ手段では、前記記録媒体から前記データを読み出した後、展開したデータを前記保存先にバックアップすることを特徴とする。
【００８７】
本発明によれば、データを、圧縮された状態で記録媒体にバックアップし、記録媒体からデータを読み出した後、展開したデータを保存先にバックアップすることとしたので、記録媒体の容量を節約することができる。
【００８８】
また、本発明は、上記発明において、前記データは、暗号化された状態で前記記録媒体にバックアップされており、前記バックアップ手段では、前記記録媒体から前記データを読み出した後、復号したデータを前記保存先にバックアップすることを特徴とする。
【００８９】
本発明によれば、データを、暗号化された状態で記録媒体にバックアップし、記録媒体からデータを読み出した後、復号したデータを保存先にバックアップすることとしたので、バックアップ時に高いセキュリティを維持することができる。
【００９０】
また、本発明は、上記発明において、前記データは、前記携帯端末で保存されているデータをバックアップする場合のトリガの発生前後におけるデータの差分としての差分データであることを特徴とする。
【００９１】
本発明によれば、データを、トリガの発生前後におけるデータの差分としての差分データとしたので、バックアップの効率を高めることができる。
【００９２】
また、本発明は、上記発明において、前記バックアップ手段では、パスワードを用いた認証結果に基づいて、前記保存先への前記データのバックアップを制限することを特徴とする。
【００９３】
本発明によれば、パスワードを用いた認証結果に基づいて、保存先へのデータのバックアップを制限することとしたので、バックアップ時に高いセキュリティを維持することができる。
【００９４】
また、本発明は、携帯端末で保存されているデータの保存先を設定する保存先設定手段と、前記携帯端末で保存されているデータに対応するバーコードであって前記携帯端末に表示されている該バーコードを読み取るバーコード読取手段と、前記バーコードの読み取り結果に基づいて、前記データを前記保存先にバックアップするバックアップ手段と、を備えたことを特徴とする。
【００９５】
本発明によれば、携帯端末で保存されているデータの保存先を設定し、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができる。
【発明の効果】
【００９６】
本発明によれば、携帯端末で保存されているデータをバックアップする場合のトリガを設定し、トリガが発生した場合、着脱自在な記録媒体にデータをバックアップすることとしたので、携帯端末で保存されているデータを迅速かつ簡単に自動バックアップすることができるという効果を奏する。
【００９７】
また、本発明によれば、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができるという効果を奏する。
【００９８】
また、本発明によれば、データを圧縮した後、記録媒体にバックアップすることとしたので、記録媒体の容量を節約することができるという効果を奏する。
【００９９】
また、本発明によれば、データを暗号化した後、記録媒体にバックアップすることとしたので、バックアップ時に高いセキュリティを維持することができるという効果を奏する。
【０１００】
また、本発明によれば、トリガの発生前後におけるデータの差分を差分データとして、記録媒体にバックアップすることしたので、バックアップの効率を高めることができるという効果を奏する。
【０１０１】
また、本発明によれば、パスワードを用いた認証結果に基づいて、記録媒体へのデータのバックアップを制限することとしたので、バックアップ時に高いセキュリティを維持することができるという効果を奏する。
【０１０２】
また、本発明によれば、携帯端末で保存されているデータをバックアップする場合のトリガを設定し、トリガが発生した場合、データから生成されたバーコードを表示部に表示させ、バーコードを介して、外部のバックアップ装置にデータをバックアップさせることとしたので、従来のようにケーブルが不要となるため、携帯端末の買い換えに伴うケーブルの買い換えが不要となり、安価にデータをバックアップすることができるという効果を奏する。
【０１０３】
また、本発明によれば、携帯端末で保存されているデータの保存先を設定し、データがバックアップされた記録媒体が挿入された場合、記録媒体からデータを読み出し、該データを保存先にバックアップすることとしたので、携帯端末で保存されているデータを迅速かつ簡単に自動バックアップすることができるという効果を奏する。
【０１０４】
また、本発明によれば、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができるという効果を奏する。
【０１０５】
また、本発明によれば、データを、圧縮された状態で記録媒体にバックアップし、記録媒体からデータを読み出した後、展開したデータを保存先にバックアップすることとしたので、記録媒体の容量を節約することができるという効果を奏する。
【０１０６】
また、本発明によれば、データを、暗号化された状態で記録媒体にバックアップし、記録媒体からデータを読み出した後、復号したデータを保存先にバックアップすることとしたので、バックアップ時に高いセキュリティを維持することができるという効果を奏する。
【０１０７】
また、本発明によれば、データを、トリガの発生前後におけるデータの差分としての差分データとしたので、バックアップの効率を高めることができるという効果を奏する。
【０１０８】
また、本発明によれば、パスワードを用いた認証結果に基づいて、保存先へのデータのバックアップを制限することとしたので、バックアップ時に高いセキュリティを維持することができるという効果を奏する。
【０１０９】
また、本発明によれば、携帯端末で保存されているデータの保存先を設定し、携帯端末で保存されているデータに対応するバーコードであって携帯端末に表示されている該バーコードを読み取り、バーコードの読み取り結果に基づいて、データを保存先にバックアップすることとしたので、従来のようにケーブルが不要となるため、携帯端末の買い換えに伴うケーブルの買い換えが不要となり、安価にデータをバックアップすることができるという効果を奏する。
【発明を実施するための最良の形態】
【０１１０】
以下に、本発明にかかるデータバックアッププログラム、データバックアップ方法、携帯端末およびデータバックアップ装置の一実施例を図面に基づいて詳細に説明する。なお、この一実施例によりこの発明が限定されるものではない。
【実施例】
【０１１１】
図１は、本発明にかかる一実施例の構成を示すブロック図である。同図において、携帯端末１０は、携帯電話端末、ＰＨＳ端末、ＰＤＡ（Personal Digital Assistant）等であり、通話機能、電子メール送受信機能、撮影機能、スケジュール管理機能等を備えている。この携帯端末１０は、ユーザにより携帯される。
【０１１２】
携帯端末１０において、制御部１１は、各部を制御する。この制御部１１の動作の詳細については、後述する。記憶部１２（ローカル記憶手段）は、携帯端末１０で扱われるデータ群３０（携帯端末データ）を記憶している。このデータ群３０は、電子メールアドレスデータ、着信メロディデータ、スケジュールデータ、メモ帳データ、写真画像データ、待ち受け画像データ、電話帳データ等から構成されている。
【０１１３】
また、データ群３０は、所定のトリガ（日時、条件等）に基づいて、アーカイブデータ３５として圧縮され、後述するメモリカード４０に自動的にバックアップされる。
【０１１４】
表示部１３は、ＬＣＤ（Liquid Crystal Display）等であり、通話画面、電子メール表示画面や、後述するトリガ設定画面１００（図４参照）を表示する。スピーカ１５は、通話の相手方の音声や、アラーム音、操作音、着信メロディ等を出力する。マイク１６は、通話時にユーザの音声を音声データに変換する。無線通信部１７は、所定の通信プロトコルに従って、無線通信を制御する。カメラ１８は、被写体を撮影する機能を備えており、写真画像データを出力する。
【０１１５】
電源部１９は、電池２０を充電する機能、電池２０からの電力を各部へ供給する機能を備えている。コネクタ部２１は、外部接続端子である。このコネクタ部２１には、メモリカード４０が着脱される。メモリカード４０は、携帯端末１０（コネクタ部２１）または後述するＰＣ端末５０（コネクタ部５７）に着脱可能な記録媒体である。このメモリカード４０には、アーカイブデータ３５が保存される。
【０１１６】
ＰＣ端末５０は、ユーザにより操作されるコンピュータであり、通信機能、表計算機能、ワードプロセッサ機能等を備えている。また、ＰＣ端末５０は、メモリカード４０を介して、携帯端末１０で管理されているデータ群３０をバックアップデータ６０としてバックアップする機能も備えている。すなわち、ＰＣ端末５０は、バックアップ装置としても機能する。
【０１１７】
ＰＣ端末５０において、制御部５１は、各部を制御する。この制御部５１の動作の詳細については、後述する。記憶部５２は、ＲＯＭ（Read Only Memory）やＲＡＭ（Random Access Memory）であり、制御部５１で用いられる各種データを記憶する。表示部５３は、ＬＣＤやＣＲＴ（Cathode Ray Tube）であり、各種画面や、後述する保存先設定画面１１０（図５参照）、保存先参照画面１２０（図６参照）を表示する。
【０１１８】
入力部５４は、キーボードやマウス等であり、各種情報の入力に用いられる。大容量記憶部５５は、大容量のハードディスクドライブ等であり、オペレーティングシステム、アプリケーションプログラムや、バックアップデータ６０を記憶する。このバックアップデータ６０は、メモリカード４０に保存されたアーカイブデータ３５が展開されたものであり、データ群３０に対応している。
【０１１９】
読取部５６は、ＣＤ−ＲＯＭ７０に記録されている各種プログラムやデータを読み取る機能を備えている。コネクタ部５７には、バックアップ時にメモリカード４０が挿入される。
【０１２０】
つぎに、一実施例の動作について、図２および図３に示したフローチャート、図４〜図６に示した各種画面を参照しつつ説明する。図２は、図１に示した携帯端末１０の動作を説明するフローチャートである。図３は、図１に示したＰＣ端末５０の動作を説明するフローチャートである。
【０１２１】
以下では、携帯端末１０で保存されているデータ群３０をメモリカード４０にバックアップし、さらに、ＰＣ端末５０にバックアップデータ６０としてバックアップする場合について説明する。
【０１２２】
はじめに、ユーザにより、携帯端末１０の入力部１４を用いて所定の操作が行われると、制御部１１は、図４に示したトリガ設定画面１００を表示部１３に表示させる。このトリガ設定画面１００は、データ群３０を、アーカイブデータ３５としてメモリカード４０にバックアップするためのトリガを設定するための画面である。
【０１２３】
トリガとしては、日時、条件が挙げられる。日時では、曜日、時、分が１回、毎週または毎日で設定される。設定された日時になると、データ群３０がアーカイブデータ３５として、メモリカード４０に自動的にバックアップされる。
【０１２４】
また、条件では、電池充電中、省電力モード時、データ変更時で設定される。条件が電池充電中である場合には、電池２０が充電されているときに、バックアップされる。また、条件が省電力モード時である場合には、電源部１９の制御により、省電力モードとされているときに、バックアップされる。さらに、条件がデータ変更の場合には、データ群３０におけるいずれかのデータが変更されたときに、バックアップされる。
【０１２５】
ユーザは、入力部１４を用いて、ラジオボタンでトリガの日時や条件を設定した後、設定ボタン１０１を押下する。これにより、制御部１１は、トリガ設定画面１００における設定データを記憶部１２に保存する。
【０１２６】
また、ユーザにより、ＰＣ端末５０の入力部５４を用いて所定の操作が行われると、制御部５１は、図５に示した保存先設定画面１１０を表示部５３に表示させる。この保存先設定画面１１０は、大容量記憶部５５におけるバックアップデータ６０の保存先を設定するための画面である。
【０１２７】
保存先設定画面１１０において、ユーザは、入力部５４を用いて、保存先入力欄１１１に保存先（大容量記憶部５５におけるフォルダのアドレス）を入力した後、設定ボタン１１２を押下する。これにより、制御部５１は、保存先入力欄１１１に入力された保存先（フォルダのアドレス）を大容量記憶部５５に保存することにより、保存先を設定する。
【０１２８】
また、保存先入力欄１１１に直接保存先を入力できない場合、ユーザは、保存先参照ボタン１１３を押下する。これにより、制御部５１は、図６に示した保存先参照画面１２０を表示部５３に表示させる。保存先参照画面１２０には、保存先一覧１２１および設定ボタン１２２が表示されている。
【０１２９】
ユーザは、入力部５４を用いて、保存先一覧１２１から保存先を選択した後、設定ボタン１２２を押下する。これにより、制御部５１は、保存先一覧１２１で選択された保存先（フォルダのアドレス）を大容量記憶部５５に保存することにより、保存先を設定する。
【０１３０】
また、図２に示したステップＳＡ１では、携帯端末１０の制御部１１は、コネクタ部２１にメモリカード４０が挿入されたか否かを判断し、この場合、判断結果を「Ｎｏ」とし、同判断を繰り返す。
【０１３１】
一方、図３に示したステップＳＢ１では、ＰＣ端末５０の制御部５１は、コネクタ部５７にメモリカード４０が挿入されたか否かを判断し、この場合、判断結果を「Ｎｏ」として、同判断を繰り返す。
【０１３２】
そして、ユーザは、自動バックアップを実行させるため、メモリカード４０をコネクタ部２１に挿入する。これにより、携帯端末１０の制御部１１は、図２に示したステップＳＡ１の判断結果を「Ｙｅｓ」とする。
【０１３３】
ステップＳＡ２では、制御部１１は、トリガ設定画面１００（図４参照）で設定されたトリガが発生したか否かを判断し、この場合、判断結果を「Ｎｏ」として、同判断を繰り返す。
【０１３４】
そして、トリガ（例えば、設定された日時になる）が発生すると、制御部１１は、ステップＳＡ２の判断結果を「Ｙｅｓ」とする。ステップＳＡ３では、制御部１１は、記憶部１２に保存されているデータ群３０を圧縮し、一つのファイルからなるアーカイブデータ３５を作成する。
【０１３５】
ステップＳＡ４では、制御部１１は、コネクタ部２１を介して、メモリカード４０にアーカイブデータ３５を保存する。メモリカード４０に保存されたアーカイブデータ３５は、一次バックアップデータである。ステップＳＡ５では、制御部１１は、携帯端末１０（コネクタ部２１）からメモリカード４０が取り外されたか否かを判断し、この場合、判断結果を「Ｎｏ」とし、ステップＳＡ２の判断を行う。
【０１３６】
そして、つぎのトリガが発生すると、制御部１１は、ステップＳＡ２の判断結果を「Ｙｅｓ」とする。ステップＳＡ３では、制御部１１は、記憶部１２に保存されているデータ群３０を圧縮し、一つのファイルからなるアーカイブデータ３５を作成する。
【０１３７】
ステップＳＡ４では、制御部１１は、コネクタ部２１を介して、メモリカード４０にアーカイブデータ３５を上書き保存する。ステップＳＡ５では、制御部１１は、携帯端末１０（コネクタ部２１）からメモリカード４０が取り外されたか否かを判断し、この場合、判断結果を「Ｎｏ」とし、ステップＳＡ２の判断を行う。
【０１３８】
以後、制御部１１は、ステップＳＡ５の判断結果が「Ｙｅｓ」となるまで、ステップＳＡ２〜ステップＳＡ５を繰り返す。これにより、メモリカード４０には、ユーザが意識することなく、アーカイブデータ３５（データ群３０）が自動的にバックアップされる。
【０１３９】
そして、ユーザは、ＰＣ端末５０でもバックアップをとるため、メモリカード４０を携帯端末１０（コネクタ部２１）から取り外す。これにより、制御部１１は、ステップＳＡ５の判断結果を「Ｙｅｓ」とする。ステップＳＡ１では、制御部１１は、メモリカード４０が携帯端末１０（コネクタ部２１）に挿入されたか否かを判断し、この場合、判断結果を「Ｎｏ」として、同判断を繰り返す。
【０１４０】
つぎに、ユーザは、携帯端末１０から取り外したメモリカード４０を、ＰＣ端末５０（コネクタ部５７）に挿入する。これにより、ＰＣ端末５０の制御部５１は、図３に示したステップＳＢ１の判断結果を「Ｙｅｓ」とする。ステップＳＢ２では、制御部５１は、メモリカード４０からアーカイブデータ３５を読み込む。
【０１４１】
ステップＳＢ３では、制御部５１は、ステップＳＢ２で読み込まれたアーカイブデータ３５を展開し、バックアップデータ６０を生成する。ステップＳＢ４では、制御部５１は、バックアップデータ６０を大容量記憶部５５に保存する。この大容量記憶部５５に保存されたバックアップデータ６０は、二次バックアップデータである。
【０１４２】
ステップＳＢ５では、制御部５１は、メモリカード４０からアーカイブデータ３５を消去する。なお、一実施例においては、メモリカード４０からアーカイブデータ３５を消去しない構成例としてもよい。ステップＳＢ６では、制御部５１は、ＰＣ端末５０（コネクタ部５７）からメモリカード４０が取り外されたか否かを判断し、この場合、判断結果を「Ｎｏ」として、同判断を繰り返す。
【０１４３】
ここで、ユーザにより、ＰＣ端末５０（コネクタ部５７）からメモリカード４０が取り外されると、制御部５１は、ステップＳＢ６の判断結果を「Ｙｅｓ」とする。ステップＳＢ１では、制御部５１は、ＰＣ端末５０（コネクタ部５７）にメモリカード４０が挿入されたか否かを判断し、この場合、判断結果を「Ｎｏ」として、同判断を繰り返す。
【０１４４】
ここで、取り外されたメモリカード４０は、再び、携帯端末１０（コネクタ部２１）に挿入される。これにより、携帯端末１０では、上述した動作と同様にして、トリガが発生する度に、データ群３０がアーカイブデータ３５として、メモリカード４０に保存される。
【０１４５】
なお、一実施例においては、メモリカード４０にアーカイブデータ３５が保存されている状態で、トリガが発生した場合、新たに生成されたアーカイブデータがメモリカード４０にバックアップされる構成例とされているが、差分データをメモリカード４０にバックアップする構成例としてもよい。
【０１４６】
この構成例では、図４に示したトリガ設定画面１００に代えて、図７に示したトリガ設定画面１３０で、前述した日時や条件の設定の他に、バックアップ設定が行われる。バックアップ設定では、トリガが発生した場合に、全データをバックアップ、または差分データをバックアップが設定される。
【０１４７】
差分データをバックアップする場合には、トリガの発生前のデータ群３０と、トリガの発生後のデータ群３０との差分が、差分データとして、メモリカード４０にバックアップされる。
【０１４８】
また、一実施例においては、アーカイブデータ３５を暗号化し、暗号化されたアーカイブデータ３５をメモリカード４０に保存した後、ＰＣ端末５０で当該アーカイブデータ３５を復号および展開し、バックアップデータ６０を大容量記憶部５５に保存する構成例としてもよい。この場合には、高いセキュリティを維持することができる。
【０１４９】
また、一実施例においては、データ量を削減するためにデータ群３０を圧縮しアーカイブデータ３５を生成する構成例について説明したが、圧縮せずに、データ群３０をメモリカード４０に保存する構成例としてもよい。
【０１５０】
また、一実施例においては、携帯端末１０およびＰＣ端末５０にパスワードを設定しておき、メモリカード４０に対する書き込み／読み込みを行う場合にパスワードを用いた認証結果に基づいて、書き込み／読み込み（バックアップ処理）を制限する構成例としてもよい。すなわち、パスワードにより正当なユーザであることが確認された場合にのみ、書き込み／読み込み（バックアップ処理）が許可される。
【０１５１】
また、一実施例においては、メモリカード４０を記録媒体として、携帯端末１０からメモリカード４０へデータをバックアップする構成例について説明したが、メモリカード４０に代えて、無線通信ネットワーク、インターネット等のネットワークを介して、データをバックアップする構成例としてもよい。
【０１５２】
また、一実施例においては、携帯端末１０からＰＣ端末５０へデータをバックアップする構成例について説明したが、ＰＣ端末５０で作成されたデータを、メモリカード４０（またはネットワーク）を介して、携帯端末１０にバックアップする構成例としてもよい。
【０１５３】
また、一実施例においては、メモリカード４０を介して、携帯端末１０からＰＣ端末５０へデータをバックアップする構成例について説明したが、バーコード（例えば、二次元バーコード）を介して、データ（アーカイブデータや差分データも含む）をバックアップする構成例としてもよい。
【０１５４】
この構成例では、ＰＣ端末５０には、二次元バーコードを読み取るバーコードリーダ（図示略）が設けられる。かかる構成例において、前述したトリガが発生すると、携帯端末１０の制御部１１は、前述した動作と同様にして生成されたアーカイブデータ３５から二次元バーコードを生成し、これを表示部１３に表示させる。
【０１５５】
そして、ユーザは、表示部１３に表示された二次元バーコードをＰＣ端末５０のバーコードリーダ（図示略）に読み取らせる。これにより、ＰＣ端末５０の制御部５１は、読み取られた二次元バーコードからバックアップデータ６０を生成し、これを大容量記憶部５５に保存する。
【０１５６】
以上説明したように、一実施例によれば、携帯端末１０で保存されているデータ群３０をバックアップする場合のトリガを設定し、トリガが発生した場合、着脱自在なメモリカード４０にデータをバックアップすることとしたので、携帯端末１０で保存されているデータ群３０を迅速かつ簡単に自動バックアップすることができる。
【０１５７】
また、一実施例によれば、データ群３０（またはアーカイブデータ３５）から生成された二次元バーコードを表示部１３に表示させ、二次元バーコードを介して、外部のＰＣ端末５０（バックアップ装置）にデータ群３０等をバックアップさせることとしたので、従来のようにケーブルが不要となるため、携帯端末１０の買い換えに伴うケーブルの買い換えが不要となり、安価にデータをバックアップすることができる。
【０１５８】
また、一実施例によれば、データ群３０を圧縮してアーカイブデータ３５を生成した後、アーカイブデータ３５をメモリカード４０にバックアップすることとしたので、メモリカード４０の容量を節約することができる。
【０１５９】
また、一実施例によれば、データ群３０（またはアーカイブデータ３５）を暗号化した後、メモリカード４０にバックアップすることとしたので、バックアップ時に高いセキュリティを維持することができる。
【０１６０】
また、一実施例によれば、トリガの発生前後におけるデータ群３０（またはアーカイブデータ３５）の差分を差分データとして、メモリカード４０にバックアップすることしたので、バックアップの効率を高めることができる。
【０１６１】
また、一実施例によれば、パスワードを用いた認証結果に基づいて、メモリカード４０へのアーカイブデータ３５（またはデータ群３０）のバックアップを制限することとしたので、バックアップ時に高いセキュリティを維持することができる。
【０１６２】
また、一実施例によれば、ＰＣ端末５０で、携帯端末１０で保存されているデータ群３０（バックアップデータ６０）の保存先を設定し、アーカイブデータ３５（またはアーカイブデータ３５）がバックアップされたメモリカード４０が挿入された場合、メモリカード４０からアーカイブデータ３５（またはデータ群３０）を読み出し、バックアップデータ６０として保存先にバックアップすることとしたので、携帯端末１０で保存されているデータ群３０を迅速かつ簡単に自動バックアップすることができる。
【０１６３】
また、一実施例によれば、携帯端末１０で保存されているデータ群３０に対応する二次元バーコードであって携帯端末１０に表示されている該二次元バーコードをＰＣ端末５０のバーコードリーダで読み取り、二次元バーコードの読み取り結果に基づいて、バックアップデータ６０を保存先にバックアップすることとしたので、従来のようにケーブルが不要となるため、携帯端末１０の買い換えに伴うケーブルの買い換えが不要となり、安価にデータをバックアップすることができる。
【０１６４】
また、一実施例によれば、データ群３０を、圧縮された状態でアーカイブデータ３５としてメモリカード４０にバックアップし、メモリカード４０からアーカイブデータ３５を読み出した後、展開したバックアップデータ６０を、ＰＣ端末５０の保存先にバックアップすることとしたので、メモリカード４０の容量を節約することができる。
【０１６５】
また、一実施例によれば、アーカイブデータ３５（またはデータ群３０）を、暗号化された状態でメモリカード４０にバックアップし、メモリカード４０からアーカイブデータ３５（またはデータ群３０）を読み出した後、復号したデータを保存先にバックアップすることとしたので、バックアップ時に高いセキュリティを維持することができる。
【０１６６】
また、一実施例によれば、データ群３０（またはアーカイブデータ３５）を、トリガの発生前後におけるデータの差分を差分データとしたので、バックアップの効率を高めることができる。
【０１６７】
また、一実施例によれば、パスワードを用いた認証結果に基づいて、ＰＣ端末５０の保存先へのデータのバックアップを制限することとしたので、バックアップ時に高いセキュリティを維持することができる。
【０１６８】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１６９】
例えば、前述した一実施例においては、携帯端末１０、ＰＣ端末５０の各機能を実現するためのプログラムを図８に示したコンピュータ読み取り可能な記録媒体３００に記録して、この記録媒体３００に記録されたプログラムを同図に示したコンピュータ２００に読み込ませ、実行することにより各機能を実現してもよい。
【０１７０】
同図に示したコンピュータ２００は、上記プログラムを実行するＣＰＵ（Central Processing Unit）２１０と、キーボード、マウス等の入力装置２２０と、各種データを記憶するＲＯＭ２３０と、演算パラメータ等を記憶するＲＡＭ２４０と、記録媒体３００からプログラムを読み取る読取装置２５０と、ディスプレイ、プリンタ等の出力装置２６０と、から構成されている。
【０１７１】
ＣＰＵ２１０は、読取装置２５０を経由して記録媒体３００に記録されているプログラムを読み込んだ後、プログラムを実行することにより、前述した機能を実現する。なお、記録媒体３００としては、光ディスク、フレキシブルディスク、ハードディスク等が挙げられる。
【産業上の利用可能性】
【０１７２】
以上のように、本発明にかかるデータバックアッププログラム、データバックアップ方法、携帯端末およびデータバックアップ装置は、携帯端末で保存されているデータ（電子メールアドレスデータ、電話帳データ等）のバックアップに対して有用である。
【図面の簡単な説明】
【０１７３】
【図１】本発明にかかる一実施例の構成を示すブロック図である。
【図２】図１に示した携帯端末１０の動作を説明するフローチャートである。
【図３】図１に示したＰＣ端末５０の動作を説明するフローチャートである。
【図４】図１に示した携帯端末１０におけるトリガ設定画面１００を示す図である。
【図５】図１に示したＰＣ端末５０における保存先設定画面１１０を示す図である。
【図６】図１に示したＰＣ端末５０における保存先参照画面１２０を示す図である。
【図７】図１に示した携帯端末１０におけるトリガ設定画面１３０を示す図である。
【図８】同一実施例における変形例の構成を示すブロック図である。
【符号の説明】
【０１７４】
１０  携帯端末
１１  制御部
１２  記憶部
１３  表示部
１４  入力部
２１  コネクタ部
３０  データ群
３５  アーカイブデータ
４０  メモリカード
５０  ＰＣ端末
５１  制御部
５５  大容量記憶部
６０  バックアップデータ
【図１】
2005189969.tif 000003
【図２】
2005189969.tif 000004
【図３】
2005189969.tif 000005
【図４】
2005189969.tif 000006
【図５】
2005189969.tif 000007
【図６】
2005189969.tif 000008
【図７】
2005189969.tif 000009
【図８】
2005189969.tif 000010